(57)【要約】      （修正有）【課題】バトミントンの練習時に用いる複数個のシャトルを収納するシャトル収納カートリッジに収納されたシャトルを、連続してノック練習を可能とするスタンド型シャトル取出装置を提供する。【解決手段】シャトル収納カートリッジ４０とシャトル取出カートリッジ５０を別々のパイプとし、シャトル収納カートリッジを垂直方向に集中して装着することで装置本体からの張り出しを少なくコンパクトにする事ができ、結果として装置本体とスイングしたラケットの干渉を最小限に抑えることが可能となる。フォアー方向のみならずバック方向からのスイング範囲を広く採ることが可能となり、使い勝手の良いスタンド型シャトル取出装置１となり、連続ノック練習も容易にすることが出来る。更に複数のシャトル収納カートリッジを取外し、連続ノック練習中でもコートに散在するシャトルを複数人で回収することが可能となる。すなわち本考案に係るスタンド型シャトル取出装置１では、シャトル収納カートリッジ４０とシャトル取出カートリッジ５０が従来例とは異なり別筐体で構成されているため、シャトル収納カートリッジ４０を本体から取外して効率よくシャトルの補充が可能となる。【選択図】図１
0003179443.tif 000002
【実用新案登録請求の範囲】
【請求項１】
移動可能な支台１１に垂直に固定された支柱１２を有するスタンド基部１０と、
スタンド基部１０の上端に水平に固定された固定板２０と、
固定板２０の上部位置に支柱１２を中心に回動自在かつ水平に配置された回転天板３０と、
回転天板３０に縦方向に着脱自在に取付けられた一又は複数本のシャトル収納カートリッジ４０と、
固定板２０に回転自在なエルボーを経由して着脱自在に取付けられた一本のシャトル取出カートリッジ５０、とで構成されたバトミントンの練習用シャトルを取出すスタンド型シャトル取出装置１であり、            
前記回転天板３０には、着脱自在に取付けられた前記シャトル収納カートリッジ４０内に収納された複数個のシャトルが自由落下できる大きさのカートリッジ取付口３１が、各シャトル収納カートリッジ４０毎に配置されており、
前記固定板２０には、前記回転天板３０の一つのカートリッジ取付口３１の真下にシャトル落下口２１が一個だけ配置されており、
前記回転天板３０が回転すると、カートリッジ取付口３１から下方向に露出したシャトル頭部は前記固定板２０の上部表面を摺動移動するが、カートリッジ取付口３１とシャトル落下口２１が相互に重なり合う位置まで回転すると、前記シャトル収納カートリッジ４０に収納されたシャトルが、回動自在なエルボー５２を経由してシャトル取出カートリッジ５０内に落下移動してからシャトル取出口５１へ移動し、シャトル頭部のみがシャトル取出口５１から露出するように構成することで、当該露出したシャトル頭部をノッカーが摘まみ出すことによりシャトルを連続して取出すことが可能となるように構成されたことを特徴とするスタンド型シャトル取出装置１。
【請求項２】
前記シャトル収納カートリッジ４０が取外された場合には、コートに散在するシャトルを収納することが出来るように構成されたことを特徴とする請求項１記載のスタンド型シャトル取出装置１。
【請求項３】
前記シャトル収納カートリッジ４０は、前記回転天板３０に対して垂直または一定角で着脱自在に取付けられることにより、前記支柱１２を中心にして外側への張り出し距離を短くして、シャトル収納カートリッジ４０と、該シャトル取出装置１を使用するノッカーのスイングしたラケットとが干渉しないように構成されたことを特徴とする請求項１記載のスタンド型シャトル取出装置１。
【請求項４】
前記一本のシャトル取出カートリッジ５０は、前記シャトル落下口２１に対し回動自在に取付けられており、該シャトル取出装置１を使用するノッカーのスイングしたラケットと干渉しないように構成されたことを特徴とする請求項１記載のスタンド型シャトル取出装置１。
【請求項５】
前記シャトル収納カートリッジ４０と前記シャトル取出カートリッジ５０は、透明素材で構成されており、内部の残余シャトルの数量が目視確認することが可能となるように構成されたことを特徴とする請求項１記載のスタンド型シャトル取出装置１。
【請求項６】
前記シャトル収納カートリッジ４０の上部端４１の先端内部および前記シャトル取出カートリッジ５０のシャトル取出口５１の先端内部に、シャトルの羽部の通過を制限するがシャトル頭部の通過を許容する大きさの突起物４２、５３を有するように構成されたことを特徴とする請求項１記載のスタンド型シャトル取出装置１。
【請求項７】
前記シャトル収納カートリッジ４０と前記シャトル取出カートリッジ５０が、兼用可能となるように構成されたことを特徴とする請求項１記載のスタンド型シャトル取出装置１。
【請求項８】
前記回転天板３０が回転し、前記カートリッジ取付口３１と前記シャトル落下口２１が相互に重なり合う位置まで回転すると、固定板２０と回転天板３０に設けられたストッパー機構により回転が停止するように構成されたことを特徴とする請求項１記載のスタンド型シャトル取出装置１。
【請求項９】
前記回転天板３０の回転は、スプリングやぜんまい、その他の動力装置により自動回転させ、前記ストッパー機構により回転を停止させることにより、隣接するシャトル収納カートリッジがシャトル落下口２１の真上にあたる位置に来る角度だけ回転天板３０を回転させるように構成されたことを特徴とする請求項８記載のスタンド型シャトル取出装置１。
【考案の詳細な説明】
【技術分野】
【０００１】
本考案は、バトミントンの練習時に用いるシャトル（羽）を取出すシャトル取出装置に関する。本考案は特に、複数個のシャトルを収納する着脱自在なシャトル収納カートリッジに収納されたシャトルを、一本のシャトル取出カートリッジへ自由落下させ、ノッカーが連続してシャトルを取出して、連続ノック練習を可能とするスタンド型シャトル取出装置に関する。
【背景技術】
【０００２】
バトミントンの連続ノック練習では、ネット近くに立ったノッカーであるコーチ等が反対側のコートに入った練習者に向かって、数多くのシャトルを連続してノックする練習方法が一般的に行われている。このような連続ノックを行う際は、ノッカーの近くに配置されたスタンド型シャトル取出装置が用いられる。一般のスタンド型シャトル取出装置ではノッカーは、シャトルを多数収納したシャトル筒の下端に設けられたシャトル取出口から、ラケットを握った手とは反対の手で、シャトルを次々に取出す。そして次々に取出されたシャトルをラケットにて連続ノックを行う。多くの場合、シャトルを取出す動作は、ほぼブラインドで行われる。またこれらの装置は使用者１人でのサーブの練習の際にも利用される。
【０００３】
この場合シャトルの収納数を増やす為には、シャトル筒の数を増やすかシャトル筒の長さを長くする必要があるが、そのどちらを採っても、その収納数を増やせば増やすほど外部への張り出しが大きくなる。この場合、シャトル筒とラケットが相互に当たる可能性が大きくなる。更にこの装置をノッカー近くの何処に配置するかの自由度も少なくなり、また更にネット際での使用では、その装置のサイズが邪魔になるだけでなく、使用に伴って生じる装置の回転の際に、ネットに絡んでしまう恐れがある。
【０００４】
また、バドミントンの連続ノック練習ではノッカーが一方向にのみ打ち出すのではなく、様々な方向にシャトルを打ち出すので、装置が設置されている方向からのノック練習は、少なからず装置とラケットの動きが干渉する恐れが生じる。
【０００５】
スタンド型シャトル取出装置の従来例１として、実開平６−２３５６１には複数個のシャトル筒をスタンドに取付けた構造が開示されている。この構造では、各シャトル筒内に複数のシャトルが収納されており、一本のシャトル筒が空になるとスタンド支柱を中心にシャトル筒をノッカーが手動回転させ、隣のシャトル筒からシャトルを連続して取出せる構造になっている。しかしながらこの構造では、シャトル筒は取外しが出来ず、従ってコートから回収されたシャトルをノック練習中に、練習補助者がシャトル筒内へ入れ直さねばならない不便さを有する。更に複数個のシャトル筒がスタンド支柱を中心に広がって配置される構造であるため、シャトル筒とノッカーのラケットが相互に当たる可能性があり、ノッカーの自由なノック動作（ラケットのスイング範囲）を制限するという不具合を有する。特に上級者へのノックでは種々のノック方向からの連続ノック練習が必要であり、ノッカーのスイング範囲は必然的に拡大し、広がって配置されたシャトル筒とラケットが干渉し易い構造を有するスタンド型シャトル取出装置では不便となる。
【０００６】
更にスタンド型シャトル取出装置の従来例２として、実開平６−４６７５８には引例と類似する１構造が開示されている。この引例では支柱と補助柱を適角度とし、且つ支柱上部にＴ形状の受体（シャトル筒）を脱着回動可能に設け、この受体に複数のシャトルを収納させて下端からシャトルを取出す構造になっている。この引例では、このシャトルを収納した受体が脱着回動可能となっている点で練習補助者がこの受体を取り外し、コート内に散在するシャトルを直接この受体内に収納させることが出来る点は引例１に対して優れている。しかしながらシャトルを収納する脱着回動可能な受体はＴ形状をしており、練習補助者がコート内に散在するシャトルを拾い集めて受体へ再収納し易くするという配慮が一切されていない。更にまた、シャトルを収納する複数個の受体は、引例１と同様にスタンド支柱を中心に広がって配置される構造であるため、複数個の受体とノッカーのラケットが相互に当たる可能性がある。特にノッカーは、ネットの反対側に構える練習者に対して自己のラケットをフォアー方向だけでなくバック方向に振り抜くことにより、種々のノック方向からのシャトルを打つ必要がある。この場合、本引例の構造では引例１と同様に、広がって配置されたシャトル筒とラケットが干渉してしまう不具合を有している。
【０００７】
更にスタンド型シャトル取出装置の従来例３として、特開平９−１１７５３９にはシャトルを収納する単一の中空筒体（シャトル筒）を有する構造が開示されている。この構造では、中空筒体とノッカーのラケットが相互に当たる可能性は無いが、単一の中空筒体であるためシャトル収納数に限界があり、連続ノックには不向きであるばかりか、引例１と同様に、シャトルを練習補助者がシャトル筒内へ頻繁に入れ直さねばならない不便さは解消されていない。
【０００８】
更にスタンド型シャトル取出装置の従来例４として、特開２００５−２１１６４５にはシャトル筒を３本以上束ねてスタンドに取付ける構造が開示されている。この構造では出願人によれば段落００１８に記載されているように、本装置をノッカーの背中側に設置すると、ノッカーのラケットを振る邪魔にならない旨、記載されている。しかしながら複数のシャトル筒が上下斜め方向に配置され、この斜めシャトル筒がノッカーの背後に広範囲に配置されているため、ノッカーのフォアー方向のラケットのスイングはともかく、バック方向のスイングは、斜めに配置されたシャトル筒とラケットが干渉し易い。更に本願構成では、引例１と同様に、コートから回収されたシャトルをシャトル筒へ直接回収することは出来ず、練習補助者がシャトル筒内へ入れ直さねばならない不便さを有する。
【０００９】
更にスタンド型シャトル取出装置ではなく肩掛け式シャトル保持具について引例５として、特第３８９７７０７号および特第４５１３１１３号が開示されている。この様な肩掛け式であれば、引例１とは異なりコートから回収されたシャトルをこれ等のシャトル保持具へ直接回収することは出来る。しかしながらこれ等の構成では、シャトルを回収中はこれ等のシャトル保持具を使用して連続ノック練習は出来ない。更にまた複数人の練習補助者が同時にコート内のシャトルを回収しながら回収されたシャトルをこれ等のシャトル保持具に収納することは出来ないという不具合を有する。
【００１０】
更にシャトル筒のシャトル出口の構造について引例６として、特開２００５−３０５０６６号が開示されている。この様なシャトル出口の構造では、シャトルが確実に止まるように開閉ゲートが設置されている。この開閉ゲートはバネまたは磁石で適度のソフトさでシャトル出口が開閉するように構成されている。しかしながらバネ力または磁石の反発力が一定であり、従って練習で激しく磨耗使用され羽部分の弾性度が劣化したシャトルを一定のソフト度でシャトル筒から安定して取出すことが容易ではなく、かつ構造が複雑で安価に製造できない不具合を有する。
【先行技術文献】
【特許文献】
【００１１】
【特許文献１】実開平６−２３５６１号公報
【特許文献２】実開平６−４６７５８号公報
【特許文献３】特開平９−１１７５３９号公報
【特許文献４】特開２００５−２１１６４５号公報
【特許文献５】特第３８９７７０７号公報
【特許文献６】特第４５１３１１３号公報
【特許文献７】特開２００５−３０５０６６号公報
【考案の概要】
【考案が解決しようとする課題】
【００１２】
解決しようとする第１の問題点は、上述のように従来のスタンド型シャトル取出装置では、シャトル筒が取外し出来ず、従ってコートから回収されたシャトルを練習補助者が練習中にシャトル筒内へ入れ直さねばならない点である。更に第２の問題点は、シャトル筒とノッカーのラケットが相互に当たる可能性があり、ノッカーの自由なノック動作（ラケットのスイング範囲）を制限するという点である。更に第３の問題点は、シャトル出口の構造について、練習で激しく磨耗使用され羽部分の弾性度が劣化するシャトルを一定のソフト度でシャトル筒から安定して取出すことは容易ではなく、かつ構造が複雑で安価に製
造できない点である。
【課題を解決するための手段】
【００１３】
上述のように従来技術によるシャトル筒を、本考案に係るスタンド型シャトル取出装置では、コートから回収されたシャトルを収納するシャトル収納カートリッジと、ノッカーがシャトルを取出すシャトル取出しカートリッジとを分離する構造としたことである。すなわち本願考案に係るスタンド型シャトル取出装置では、移動可能な支台に垂直に固定された支柱を有するスタンド基部と、スタンド基部の上端に水平に固定された固定板と、固定板の上部位置に支柱を中心に回動自在かつ水平に配置された回転天板と、回転天板に縦方向に着脱自在に取付けられたシャトル収納カートリッジと、固定板に着脱自在に取付けられたシャトル取出カートリッジ、とで構成された移動可能なバトミントンの練習時に用いるスタンド型シャトル取出装置を開示する。そしてその回転天板には、取付けられた一又は複数本の前記シャトル収納カートリッジ内に収納された複数個のシャトルが自由落下できる大きさの一又は複数個のカートリッジ取付口が、各シャトル収納カートリッジ毎に配置されており、前記固定板には、前記回転天板の一つのカートリッジ取付口の真下にシャトル落下口が一個だけ配置されている。前記回転天板が回転すると、カートリッジ取付口から下方向に露出したシャトル頭部は、前記固定板の上部表面を摺動移動し、カートリッジ取付口とシャトル落下口が相互に重なり合った場合には、前記シャトル収納カートリッジに収納されたシャトルが、シャトル取出カートリッジ内に落下移動してからシャトル取出口へ移動する。そしてこのシャトル取出口へ移動したシャトルのシャトル頭部のみが、シャトル取出口から露出するように構成することで、この露出したシャトル頭部をノッカーが摘まみ出すことにより、シャトルを連続して取出すことが可能となる構成を開示する。
【００１４】
すなわちシャトル収納カートリッジとシャトル取出カートリッジとを別々のパイプで構成し、シャトル収納カートリッジを垂直方向に集中して装着することで、装置本体からの張り出しを少なくして装置全体としてコンパクトにする事が出来るため、結果として装置本体とスイングしたラケットの干渉を最小限に抑えることが可能となる。
【００１５】
更にこのシャトル取出装置では、前記シャトル収納カートリッジが取外された場合には、コートに散在するシャトルを収納することが出来るように構成されたことを特徴としている。この構成により、複数人でシャトル収納カートリッジへシャトルを回収する事が可能となる。すなわち従来の装置とは異なり、装置が１台であってもシャトル収納カートリッジの本数を増やす事により、取外された各収納カートリッジを各々手に持った５人でも１０人でも同時に各々の練習補助者がシャトル収納カートリッジへのシャトルの回収を可能とする事を特徴としている。
【００１６】
また更に本体からノッカー近くへ延びるシャトル取出カートリッジが一本である為に、ネット際での練習等にも使用でき、またネット際で使用する時でも回転天板を回転させてもネットに干渉し難くなるという効果を有する。
【００１７】
更に前記シャトル取出カートリッジは、縦方向に、且つ前記シャトル落下口に対し回動自在に取付けられており、該シャトル取出装置を使用するノッカーのスイングしたラケットと干渉しないように構成されたことを特徴としている。これ等の構成により、ノッカーはほぼブラインドで次々とシャトルを取り易い位置から取出すことが可能となる。
【００１８】
更に前記シャトル収納カートリッジと前記シャトル取出カートリッジは、透明素材で構成されており、内部の残余シャトルの数量が目視確認することが可能となるように構成されていることを特徴とする。これにより残余のシャトル数が容易に目視確認することが可能となる。
【００１９】
更に前記シャトル収納カートリッジの上部端および前記シャトル取出カートリッジのシャトル取出口の内部に、シャトルの羽部の通過を制限するがシャトル頭部の通過を許容する大きさの突起物を有するように構成されたことを特徴とする。これにより従来のものより、安価に突起物を製造できる利点を有する。
【００２０】
更に前記シャトル収納カートリッジと前記シャトル取出カートリッジが、兼用可能となるように構成されたことを特徴とする。これにより部品の共用度を向上させることが可能となる。
【図面の簡単な説明】
【００２１】
【図１】図１は本考案に係るスタンド型シャトル取出装置の構成を示す斜視図である。
【図２】図２はシャトル収納カートリッジからシャトル取出カートリッジへ、シャトルが自由落下後に移動する様子を示す概略図である。
【図３】図３はシャトル取出カートリッジの突起部を示す概略図である。
【図４】図４は従来のスタンド型シャトル取出装置を使用した場合、ノッカーによるラケットのスイング範囲を示すための平面図である。
【図５】図５は本考案に係るスタンド型シャトル取出装置を使用した場合、ノッカーによるラケットのスイング範囲を示すための平面図である。
【考案を実施するための形態】
【００２２】
図１は本考案に係るスタンド型シャトル取出装置１の構成を示す斜視図である。スタンド基部１０は、キャスター等で移動可能な支台１１と、その中心に垂直に固定された支柱１２で構成されている。この支柱１２には、ノッカーの身長に調整できるような調整機能を付けてもよい。スタンド基部１０の上端には、固定板２０が水平に固定されている。また固定板２０の上部位置には、支柱１２を中心に回動自在かつ水平に配置された回転天板３０が配置されている。この固定板２０と回転天板３０の間隔は、回転天板３０がスムーズに回転できる程度であれば特に限定はしない。また回転天板３０は、支柱１２を中心に例えばベアリング等を配し固定板２０に対してスムーズに回転可能に構成でもよい。
【００２３】
回転天板３０には、複数のシャトル収納カートリッジ４０を着脱自在に挿入設置する複数のカートリッジ取付口３１が設けられている。シャトル収納カートリッジ４０はパイプ状のエンビ管でもよいし、透明なプラスチックパイプ等でもよい。太さはシャトルの羽よりやや太いサイズで、カートリッジ内部でシャトルが自由に摺動できる程度であればよい。更にシャトル収納カートリッジ４０の長さは、約５０センチメートル程度でよいが特に限定はしない。そしてこのシャトル収納カートリッジ４０は、回転天板３０上に例えば６個が円形配置されているが、この個数は特に限定しない。このシャトル収納カートリッジ４０内部には多数のシャトルが収納される。シャトルの連続ノック練習に先立ち、このシャトル収納カートリッジ４０を取外してコート内に散らばった練習用シャトルを回収しつつ、このシャトル収納カートリッジ４０内に回収する。多人数の練習補助者が、各々このシャトル収納カートリッジ４０に練習用シャトルを回収すれば効率良くシャトルの回収が可能となる。
【００２４】
図２はシャトル収納カートリッジ４０からシャトル取出カートリッジ５０へシャトルが自由落下後に移動する様子を示す概略図である。固定板２０には、回転天板３０に多数設けられたカートリッジ取付口３１の内の一つに対応する真下に、シャトル落下口２１が一個だけ配置されている。すなわちシャトル収納カートリッジ４０に回収されたシャトルは、カートリッジ取付口３１とシャトル落下口２１を経由して、やや斜め下方に傾斜配置されたシャトル取出カートリッジ５０へ自由落下する。なお一本のシャトル収納カートリッジ４０が空になった場合は、回転天板３０を回転させて、隣接するシャトル収納カートリッジ４０のカートリッジ取付口３１がシャトル落下口２１の真上に来るように回転させる。この場合、回転天板３０のカートリッジ取付口３１がシャトル落下口２１の真上で止まるようにノッチ等の従来技術に係るストッパー機構を設けてもよい。またこの回転はノッカーが手動で行ってもよいし、バネの力や、電動で行ってもよい。すなわち回転天板３０の回転は、スプリングやぜんまい、その他の従来技術に係る動力装置により自動回転させ、上述のストッパー機構により回転を停止させることにより、隣接するシャトル収納カートリッジがシャトル落下口２１の真上にあたる位置に来る角度だけ回転天板３０を回転させるように構成してもよい。なお回転天板３０が回転する場合、カートリッジ取付口３１から下方向に露出したシャトル頭部は、固定板２０の上部表面を円弧状に水平方向へ摺動移動する。そしてカートリッジ取付口３１とシャトル落下口２１が相互に重なり合う位置まで回転すると、シャトル収納カートリッジ４０に収納されたシャトルは、シャトル取出カートリッジ５０内に自由落下移動する。
【００２５】
この自由落下移動したシャトルは、シャトル取出口５１へ移動し、シャトル頭部のみがシャトル取出口５１から露出する。従って露出したシャトル頭部をノッカーが次々に摘まみ出すことによりシャトルを連続して取出すことが可能となる。そして次々に取出されて一本のシャトル収納カートリッジ４０が空になったら、上記操作を繰り返して、新たなシャトル収納カートリッジ４０に収納されたシャトルをシャトル落下口２１へ自由落下移動させる。この操作を行いながら練習補助者は、空になったシャトル収納カートリッジ４０を回転天板３０から取外し、コート内に散在するシャトルを回収する。この様に、本考案に係るスタンド型シャトル取出装置１では、シャトル収納カートリッジ４０とシャトル取出カートリッジ５０が従来例とは異なり別筐体で構成されているため、シャトル収納カートリッジ４０を本体から取外して効率よくシャトルの補充が可能となる。
【００２６】
なおシャトル取出カートリッジ５０は、シャトル収納カートリッジ４０と同様にパイプ状のエンビ管でもよいし、透明なプラスチックパイプ等でもよい。太さはシャトルの羽よりやや太いサイズで、カートリッジ内部でシャトルが自由に摺動できる程度であればよい。更にシャトル収納カートリッジ４０の長さは、パイプを重ね合わせて長さが調節できる構造であってもよい。この様に長さが調整可能とすることにより収納できるシャトルの数量を調整でき、ノッカーが種々の連続ノック練習をすることが容易になる。
【００２７】
更にシャトル取出カートリッジ５０は、シャトル落下口２１に対し例えば回動自在なエルボー５２を経由して着脱自在に取付けられている。これによりこのシャトル取出装置１を使用するノッカーのスイングしたラケットと干渉しない位置までシャトル取出カートリッジ５０を回転させて、シャトル取出口５１の位置を微調整することが可能である。
【００２８】
また図２と図３に示すように、シャトル収納カートリッジ４０の上部端４１およびシャトル取出カートリッジ５０のシャトル取出口５１の内部に、シャトルの羽部の通過を制限するがシャトル頭部の通過を許容する大きさの複数個の突起物４２、５３を設けてもよい。またこの突起部４２、５３には、パイプ内部にビス止めしたプラスチック片を用いることも可能である。従って従来技術による開閉ゲートやバネまたは磁石で適度のソフトさでシャトル出口が開閉する構造と比較して、安価に製造することが可能となる。更に突起の高さについても、ビスを調整することで、練習用シャトルの磨耗度合に一致させることも可能である。
【００２９】
更にまた、シャトル収納カートリッジ４０とシャトル取出カートリッジ５０は、透明素材、例えば透明プラスチックで構成してもよい。これにより内部の残余シャトルの数量が目視確認することが可能となる。
【００３０】
更にまた、シャトル収納カートリッジ４０とシャトル取出カートリッジ５０は、兼用可能となるように構成することにより、ノッカーのラケットで取出カートリッジ５０が損傷したときにも、シャトル収納カートリッジ４０をシャトル取出カートリッジ５０として使用することも可能である。
【００３１】
図４と図５は、従来のスタンド型シャトル取出装置を使用した場合のラケットのスイング範囲Ａと、本考案に係るスタンド型シャトル取出装置１を使用した場合のラケットのスイング範囲Ｂ、との比較を示すための平面図である。すなわちコート内のネットの近くに置かれた従来のスタンド型シャトル取出装置では、練習用のシャトルの収納数を多くすれば、必然的に多くのシャトル筒を配置せねばならず、ラケットのスイング範囲Ａは制限され易い。これに対して、本願考案に係るスタンド型シャトル取出装置を使用した場合のラケットのスイング範囲Ｂは、スイング範囲Ａより広く取ることが可能である、この理由は、垂直又はやや傾斜して立てられた複数個のシャトル収納カートリッジ４０内に多くのシャトルを収納できる割には設置面積は狭くて済み、かつシャトル取出カートリッジ５０は一本で済むから、これ等のカートリッジとスイングしたラケットが、相互に当たり難いからである。
【産業上の利用可能性】
【００３２】
上記構成のようにシャトル収納カートリッジ４０とシャトル取出カートリッジ５０を別々のパイプとする事で、シャトル収納カートリッジを垂直方向に集中して装着することで装置本体からの張り出しを少なくコンパクトにする事ができ、結果として装置本体とスイングしたラケットの干渉を最小限に抑えることが可能となり、フォアー方向のみならずバック方向からのスイング範囲Ｂを広く採ることが可能となり、使い勝手の良いスタンド型シャトル取出装置１となり、連続ノック練習も容易にすることが出来る。更に複数のシャトル収納カートリッジを取外し、連続ノック練習中でもコートに散在するシャトルを複数人で回収することが可能となる。すなわち本考案に係るスタンド型シャトル取出装置１では、シャトル収納カートリッジ４０とシャトル取出カートリッジ５０が従来例とは異なり別筐体で構成されているため、シャトル収納カートリッジ４０を本体から取外して効率よくシャトルの補充が可能となる。
【符号の説明】
【００３３】
１    スタンド型シャトル取出装置
１０  スタンド基部
１１  支台
１２  支柱
２０  固定板
２１  シャトル落下口
３０  回転天板
３１  カートリッジ取付口
４０  シャトル収納カートリッジ
４１  上部端
４２  突起部
５０  シャトル取出カートリッジ
５１  シャトル取出口
５２  エルボー
５３  突起部
【図１】
0003179443.tif 000003
【図２】
0003179443.tif 000004
【図３】
0003179443.tif 000005
【図４】
0003179443.tif 000006
【図５】
0003179443.tif 000007